(57)【要約】【課題】  サムターン座の取付孔を結ぶ線が斜めになり、しかも、サムターン座の扉面に対する投影形状が異形の場合でもサムターン座の取付作業を容易にする。【解決手段】  中央にサムターン案内孔を開口させた円形の厚板で、その一面の外周部に一対の取付杆１７、１７を突設すると共に、各取付杆の先端に雌ねじ孔を形成した第１基板１５と、扉面に対する投影形状が異形の厚板で、板厚方向における室内側に、上記第１基板と回動可能に嵌合する有底の第１基板案内孔を形成して第２基板１９を構成し、また、この第２基板の第１基板案内孔の底面外周部に一対の円弧状の角度規制開口２３を中心軸に関し対称的に形成し、上記第１基板の各取付杆を対応する各角度規制開口に挿通させるようにして第１基板を第１基板案内孔に嵌め込み、第１基板を回すことにより、サムターン座の取付孔の角度位置変化に対応させる。【選択図】  図５
2010127009.tif 000002
【特許請求の範囲】
【請求項１】
中央にサムターン軸と嵌合するサムターン案内孔を開口させた円形の厚板で、その一面の外周部に一対の取付杆を中心に関し対称的に突設すると共に、各取付杆の先端に雌ねじ孔を形成した第１基板と、扉面に対する投影形状が異形の厚板で、中央にサムターン軸と遊嵌する開口を形成すると共に、板厚方向における室内側に、上記第１基板と回動可能に嵌合する有底の第１基板案内孔を形成して第２基板を構成し、また、この第２基板の第１基板案内孔の底面外周部に一対の円弧状の角度規制開口を中心軸に関し対称的に形成し、上記第１基板の各取付杆を対応する各角度規制開口に挿通させるようにして第１基板を第１基板案内孔に嵌め込み、その取付杆を角度規制開孔の一端に当接させたとき、各取付杆が錠箱の対応する取付孔と整合し、また、取付杆を角度規制開口の他端に当接させたとき、各取付杆が、扉の勝手違いに対応させるため錠箱を裏返したことにより角度位置がずれた錠箱の取付孔と整合するようにし、一方、扉外面に第３基板を設け、この第３基板に、少なくとも一の角度位置における錠箱の取付孔と整合する一対の取付ねじ孔を開口させ、第３基板の取付ねじ孔の外面側から取付ねじを挿入してその先端部を第１基板の取付杆の雌ねじ孔に螺合させ、第１基板を扉内面に呼び付けるようにして第１乃至第３基板を扉内外面に固定し、更に、薄板箱状の座カバーを第１及び第２基板、又は第３基板を覆うように嵌着したことを特徴とするサムターン座の構造。
【発明の詳細な説明】
【技術分野】
【０００１】
この発明は、サムターン座の構造（以下単にサムターン座という）に係り、特に、現場における取付作業を容易にしたサムターン座に関する。
【背景技術】
【０００２】
従来の一般的なサムターンの取付は、下記特許文献１の図１に示すように、サムターン座１１、扉９及び錠箱１を貫通する一対の取付ねじ１２、１２により、シリンダ錠６を扉の外面に呼び付け、その反力によりサムターン座を扉内面に固定する。
【０００３】
また、扉の左右勝手の変化に対しては、特許文献１の図１において扉の９の自由側端縁が左を向くから、錠箱３をフロント板３ごと抜き取り、裏返して、すなわち、錠箱の上下を同じくして、それまで室内側を向いていた錠箱の側板を室外側に向けて、錠箱１を扉内空間に挿入する。
【０００４】
この場合には、上記特許文献の図１における取付ねじ孔は水平線上にあるから、サムターン座は向き（サムターンの回動軸回りの角度位置）を変えることなく扉面に取付けることができる。
【０００５】
なお、上記扉の左右勝手とは、扉が開く側の空間に立って扉を見たとき、蝶番が左側にあるか、或いは右側にあるかをいう。
【特許文献１】実開平０４−１３４３７５号公報
【発明の開示】
【発明が解決しようとする課題】
【０００６】
通常の錠箱は、その厚さを充分に大きくすることができるので、サムターンとシリンダ錠を連結するクラッチ機構をサムターンの回動軸に沿って配設することができ、この場合上記一対の取付ねじ孔を水平線上に開口させ、扉の左右勝手に対応することが容易である。
【０００７】
しかしながら、図１乃至図３に示すような薄い錠箱の場合には、上記クラッチ機構を錠箱の側板に平行な平面上に展開する必要がある。
【０００８】
ちなみに、図１乃至図３に示すラッチ錠は、例えばトイレや浴室等の扉に装着されるもので、例えば錠箱１の上部に設けられたリトラクタ２のハンドル装着孔に嵌着された図示しないハンドル軸を、図２で時計方向に回動させることにより、図３に示すように、アイドルレバー４を介して、ラッチボルト５をフロント板６から引込ませるものである。
【０００９】
このとき、錠箱１内において上下方向に移動可能なストッパー７を図２に示す位置に置けばラッチボルト５を引込ませることができず、図３に示すようにストッパー７をラッチボルトの移動軌跡と干渉しない位置に置けば、ラッチボルト５を引込ませることができる。
【００１０】
上記ストッパー７は、図４に示すサムターン８を回すことにより、作動アーム９を図２に示すように時計盤面に換算して１２時の角度位置、或いは、図３に示すように時計盤面に換算して３度の角度位置に置くことにより上下する。
【００１１】
上記サムターン８と作動アーム９は、横断面が方形のサムターン軸１１（図５参照）を、作動アームの基端に形成されたサムターン軸孔１２（図２及び図３参照）を挿通させることにより、サムターン軸１１を介し回り止めを施した状態で、一体的に連結されている。
【００１２】
図示の錠箱は薄く、また上記した構造なので、前記特許文献１における取付ねじが通る１対の取付孔１３、１３を水平線上に配設することができず、水平線又は鉛直線に対し４５度傾く線上に置かざるを得ない。
【００１３】
しかしながら、上記したように取付孔１３、１３を結ぶ線を水平線、或いは鉛直線に対し斜交するように開口させると、扉の左右勝手に応じて錠箱を裏返して扉に装着した場合、新しい取付孔１３、１３の角度位置、及びサムターン８の角度位置が前のそれと９０度ずれる。
それは、図２を裏返したものを光にかざして見れば容易に判明する。
【００１４】
この場合、サムターン座の扉面に対する投影形状が円形の場合は問題がないが、異形の場合、例えば図４に示すようにサムターン座の扉面に対する投影形状が方形で、一定の方向にヘアラインが入っている場合、或いは、図示はしないが例えば楕円形の場合には、方形は傾かないがヘアラインの向きが変ったり、横向きの楕円形が縦になったりしてデザインが変る。
【００１５】
また、特にサムターン座が方形の場合には、キャップ状のサムターン座カバーを角度位置を変えて填め込めば良いようなものの、構造を知らなければそのような装着方法を思い付かず、現場における取付作業が困難になる。
【００１６】
そこで、この発明は、サムターン座の取付孔を結ぶ線が斜めになり、しかも、サムターン座の扉面に対する投影形状が異形の場合でもサムターン座の取付作業を容易にすることができるサムターンを提供することを目的としている。
【課題を解決するための手段】
【００１７】
上記の目的を達成するため、請求項１に記載の発明は、中央にサムターン軸と嵌合するサムターン案内孔を開口させた円形の厚板で、その一面の外周部に一対の取付杆を中心に関し対称的に突設すると共に、各取付杆の先端に雌ねじ孔を形成した第１基板と、扉面に対する投影形状が異形の厚板で、中央にサムターン軸と遊嵌する開口を形成すると共に、板厚方向における室内側に、上記第１基板と回動可能に嵌合する有底の第１基板案内孔を形成して第２基板を構成し、また、この第２基板の第１基板案内孔の底面外周部に一対の円弧状の角度規制開口を中心軸に関し対称的に形成し、上記第１基板の各取付杆を対応する各角度規制開口に挿通させるようにして第１基板を第１基板案内孔に嵌め込み、その取付杆を角度規制開孔の一端に当接させたとき、各取付杆が錠箱の対応する取付孔と整合し、また、取付杆を角度規制開口の他端に当接させたとき、各取付杆が、扉の勝手違いに対応させるため錠箱を裏返したことにより角度位置がずれた錠箱の取付孔と整合するようにし、一方、扉外面に第３基板を設け、この第３基板に、少なくとも一の角度位置における錠箱の取付孔と整合する一対の取付ねじ孔を開口させ、第３基板の取付ねじ孔の外面側から取付ねじを挿入してその先端部を第１基板の取付杆の雌ねじ孔に螺合させ、第１基板を扉内面に呼び付けるようにして第１乃至第３基板を扉内外面に固定し、更に、薄板箱状の座カバーを第１及び第２基板、又は第３基板を覆うように嵌着したことを特徴とする。
【発明の効果】
【００１８】
上記のように構成されたこの発明によるサムターン座は、扉の左右勝手に対応して錠箱を裏返しにして扉に装着した場合錠箱の取付孔の角度位置が例えば９０度ずれた場合、第１基板を第２基板の第１基板案内孔内で９０度回してから固定するだけで取付ねじ及び取付杆を新しい角度位置における錠箱取付孔に整合させることができる、という所期の効果を奏する。
【発明を実施するための最良の形態】
【００１９】
室外側の取付ねじと室内側の取付杆の角度位置を９０度変化させることができるようにしたことで、サムターン座の一対の取付孔を結ぶ線が水平線に対し斜交し、しかも、サムターン座の扉面に対する投影形状が異形の場合でもサムターン座の取付作業を容易にすることができる。
【実施例１】
【００２０】
以下、図面を参照してこの発明の実施例を説明する。
図５において符号１５は第１基板を示し、この第１基板１５は、図６及び図７に示すように、中央にサムターン軸と回動可能に嵌合するサムターン案内孔１６を開口させた円形の厚板である。
【００２１】
この第１基板１５の一面（図７で下面）の外周部には、一対の取付杆１７、１７が中心に関し対称的に突設されており、また、各取付杆１７の先端には雌ねじ孔１８が形成されている。
【００２２】
一方、図５において符号１９は第２基板を示し、この第２基板１９は、図８及び図９に示すように、扉面に対する投影形状が異形（図示の実施例では正方形）の厚板である。
【００２３】
この第２基板１９は、中央にサムターン軸と遊嵌する開口２１を厚さ方向に形成すると共に、板厚方向における室内側の半分（図８で手前側、図９で上半分）の部分に上記第１基板１５と回動可能に嵌合する有底の第１基板案内孔２２が形成されている。
【００２４】
また、この第２基板の上記第１基板案内孔の底面外周部に、一対の円弧状の角度規制開口２３、２３が中心軸に関し対称的に形成されている（図８参照）。
【００２５】
なお、図９において第１基板案内孔２２の中央部に一対の細い二重線２４、２４が示されているが、これは第１基板案内孔の内周面に設計の都合上形成された段部で、この段部２４はこの発明の必須の構成ではない。
【００２６】
上記のように構成された第１及び第２基板１５、１９は、図５に示すように、組立時第２基板１９の図９における下面を扉内面の所定の箇所に所定の角度位置、すなわち、第２基板の中央を厚さ方向に貫通する図示しない軸線回りの角度位置で取付ける。
【００２７】
なお、このとき通常の錠箱内蔵の扉と同様に、扉内面のサムターン軸孔１２（図２参照）付近に、サムターン軸孔１２を中心にして、前記取付孔１３、１３を内包できる図示しない開口を形成しておくものとする。
【００２８】
そして、上記第１基板１５の各取付杆１７を対応する第２基板の各角度規制開口２３（図８参照）を通すようにして第１基板１５を第１基板案内孔２２に嵌め込み、その取付杆１７を対応する角度規制開口の一端に当接させたとき、各取付杆１７が錠箱の対応する取付孔と整合するように、各角度規制開口２３の一端の角度位置を設定する。
【００２９】
また、取付杆１７を角度規制開口２３の他端に当接させたとき、各取付杆１７が９０度角度位置がずれた錠箱の整合するように、角度規制開口２３が中心軸を見込む角度を設定する。
【００３０】
なお、図示の実施例では、一対の取付孔１３、１３が、これらを結ぶ線が水平軸に対して４５度傾くように開口しているので（図２参照）、扉の左右勝手に応じて錠箱を裏返したとき新しい取付孔の角度位置は９０度ずれるが、上記取付孔１３、１３を結ぶ線が水平軸に関して傾く角度は任意に設定できる。
【００３１】
一方、図１０に示すように、扉外面に扉面に対する投影形状が方形の第３基板２５を設け、この第３基板に、少なくとも一の角度位置における錠箱の取付孔１３、１３の対に整合する一対の図示しない取付ねじ孔を開口させ、第３基板の取付ねじ孔の外面側から取付ねじ２６を挿入してその先端部を取付杆１７の雌ねじ孔に螺合させる。
【００３２】
そして、取付ねじ２６を締め込むことにより、第１基板を扉内面に呼び付けるようにして第１乃至第３基板を扉内外面に固定する（図５参照）。
【００３３】
更に、方形で薄板箱錠の座カバー２７を第１及び第２基板１５、１９、又は第３基板２５を覆うように嵌着する。
【００３４】
なお、図示の実施例では、図５及び図１１に示すように、サムターン軸１１の外端を断面方形に成形し、この外端にプラグ状の溝釦２８を回り止めを施した状態で嵌着し、外側の座カバー２７を填め込んで溝釦の抜け止めを施す。
【００３５】
なお、上記溝釦２８は、室外側からコインによりサムターン軸１１を制御するものであることは言うまでもない。
【００３６】
また、図１１において符号２９は施解錠表示部を示し、この施解錠表示部２９は、例えば座カバーをプレス加工により凹凸を付ける、或いは白や赤の塗料を付着させる、等の方法によって設けるものとする。
【００３７】
上記のように構成されたこの発明の一実施例によるサムターン座は、扉の左右勝手に応じて錠箱を裏返して扉に装着し、そのために取付孔１３、１３の角度一が変ってしまったとき、第１基板の取付杆１７、１７を第２基板の角度規制開口内で移動させ、これらの新しい角度位置を再び取付ねじ２６、２６を締め込むことによって固定する。
【００３８】
なお、図示の実施例では、取付ねじ孔の角度位置の変更を第３基板２５を９０度回すことによって行う（図１０参照）。
【図面の簡単な説明】
【００３９】
【図１】錠箱の正面図。
【図２】その一部断面側面図で、施錠状態を示す。
【図３】図２と同様の錠箱の一部断面側面図で、解錠状態を示す。
【図４】サムターンの正面図。
【図５】この発明の一実施例によるサムターン座の断面図で、厚さの異なる扉に装着できる構造を示す。
【図６】第１基板の背面図。
【図７】その断面図。
【図８】第２基板の正面図。
【図９】その断面図。
【図１０】第３基板の正面図で、座カバーを断面にした状態を示す。
【図１１】第３基板の正面図で、座カバーで覆った状態を示す。
【符号の説明】
【００４０】
１  錠箱
２  リトラクタ
３  ハンドル装着孔
４  アイドルレバー
５  ラッチボルト
６  フロント板
７  ストッパー
８  サムターン
９  作動アーム
１１  サムターン軸
１２  サムターン軸孔
１３  取付孔
１４  サムターン座
１５  第１基板
１６  サムターン案内孔
１７  取付杆
１８  雌ねじ孔
１９  第２基板
２１  開口
２２  第１基板案内孔
２３  角度規制開口
２４  段部
２５  第３基板
２６  取付ねじ
２７  座カバー
２８  溝釦
２９  施解錠表示部
【図１】
2010127009.tif 000003
【図２】
2010127009.tif 000004
【図３】
2010127009.tif 000005
【図４】
2010127009.tif 000006
【図５】
2010127009.tif 000007
【図６】
2010127009.tif 000008
【図７】
2010127009.tif 000009
【図８】
2010127009.tif 000010
【図９】
2010127009.tif 000011
【図１０】
2010127009.tif 000012
【図１１】
2010127009.tif 000013